(57)【特許請求の範囲】
【請求項１】
魚釣りに用いる釣竿であって、
ストレートテーパ部分と、前記ストレートテーパ部分の竿元側に連続して竿元側ほど大径化する第１テーパ部分と、前記第１テーパ部分の竿元側に連続してなり前記第１テーパ部分より緩やかなテーパで竿元側ほど大径化する第２テーパ部分とを有する第１竿体と、
前記ストレートテーパ部分内周面に嵌合可能に前記第１竿体の穂先側に振出形式で連結される第２竿体とを備え、
前記第１竿体の前記第１テーパ部分の内周面は周方向に間隔を隔ててつつ軸方向に延びる突出部分を有する凹凸面であり、且つ、前記第１テーパ部分に釣糸を竿体内部に導入するための釣糸導入口が形成されている、釣竿。
【発明の詳細な説明】
【０００１】
【発明の属する技術分野】
本発明は、魚釣りに用いる釣竿、特に、リールからの釣糸が竿体内部を挿通する中通し竿に関する。
【０００２】
【従来の技術】
中通し竿は、複数の筒状の竿体が順次連結されて構成されており、具体的には、竿元側の元竿から、元上竿，中竿，穂先竿等が順次連結される。また、多くの中通し竿は振出形式でこれらの各竿体が連結されており、穂先竿から順次竿元側の竿体内に挿入可能になっている。釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
このような各竿体の中で、例えば、元上竿などにリールからの釣糸を導入するための釣糸導入口が形成される。各竿体はそれぞれ先細りテーパの形成された筒状体であるが、特に、このような釣糸導入口が形成された元上竿は、穂先側の竿体を嵌着するためのストレートテーパ部分とその竿元側の急テーパ部分とその竿元側のテーパ部分との３段テーパであり、急テーパ部分に釣糸導入口が形成される構造となっている。このような急テーパ部分に釣糸導入口を設けることで、釣糸を挿通させたまま穂先側の竿体をその竿体内部に収納して、釣糸導入口より竿元側方向に釣糸が折り返されてから穂先側の竿体内部に至ることになっても、元上竿の内周面とその穂先側の竿体の外周面との間に釣糸が挿通可能なクリアランスが確保されるのである。
【０００４】
【発明が解決しようとする課題】
このような中通し竿で必要となる作業の１つに、釣糸導入口付近の強化が挙げられる。竿体の一部に孔を空けることになるので、その周辺の強度を向上させる為に、釣糸導入口付近を厚肉化する等して竿体の部分的強度低下を抑える必要が生じるのである。
【０００５】
しかし、振出形式の釣竿にあっては竿体の厚肉化に一定の制限が生じる。
即ち、振出形式の釣竿では、例えば、振出形式に竿体を組む為に、竿元側の竿体の内径よりその穂先側に位置する竿体の外径を小さくしなければならない。このため、部分的に竿体を厚肉化する際に外径側に厚肉にするのは困難である。一方、内径側に厚肉化するに当たっても、上述のクリアランスを設ける必要があると共に、この竿体内部に収納されてくる穂先側の竿体の外径からの制限を受ける。
【０００６】
本発明の課題は、竿体の強度を担保しつつ釣糸を挿通したままの収納も可能な振出形式の釣竿を提供することにある。
【０００７】
【課題を解決するための手段】
発明１の釣竿は、魚釣りに用いる釣竿であって、ストレートテーパ部分と、ストレートテーパ部分の竿元側に連続して竿元側ほど大径化する第１テーパ部分と、第１テーパ部分の竿元側に連続してなり第１テーパ部分より緩やかなテーパで竿元側ほど大径化する第２テーパ部分とを有する第１竿体と、ストレートテーパ部分内周面に嵌合可能に第１竿体の穂先側に振出形式で連結される第２竿体とを備えている。そして、この第１竿体の第１テーパ部分の内周面は周方向に間隔を隔てつつ軸方向に延びる突出部分を有する凹凸面であり、第１テーパ部分に釣糸を竿体内部に導入するための釣糸導入口が形成されている。
【０００８】
この釣竿では、第１テーパ部分の内周の凹凸が釣糸導入口形成による竿体の部分的強度の低下を抑えている。必要な補強のみを為すことで、軽量化が図られている。また、この釣竿では、第１竿体の釣糸導入口から釣糸が竿体内部に挿入され、第２竿体の内部へと導かれる。釣糸を両竿体に挿通したままで第２竿体を第１竿体内部に振出形式で収納すると、釣糸導入口からの釣糸は一端竿元側に折り返され、収納された第２竿体の竿元側端部へ至り、ここから再度第２竿体内部を穂先側に至ることになる。この釣糸導入口から第２竿体の竿元側への折り返しの際には、釣糸は第１テーパ部分の凹凸の間と第２テーパ部分と第２竿体の外周面との間のクリアランスとを通過する。
【０００９】
【発明の実施の形態】
本発明の一実施形態を採用する中通し竿について、図面を参照しつつ説明する。
［中通し竿全体の構造］
この中通し竿は、図１に示すように、元竿１と、元竿１の穂先側に順次連結される、元上竿２，中竿３，４，穂先竿５とを有している。これら各竿体は、それぞれ炭素繊維やガラス繊維などの強化繊維にエポキシ樹脂等の合成樹脂を含浸させたプリプレグ素材からなる先細り筒状部材である。後に詳しく説明するように、これらの各竿体はいわゆる振出形式で連結されており、穂先側に位置する竿体は順次竿元側に位置する竿体内部に収納可能である。
【００１０】
元竿１は、竿元側周面にリール７を脱着自在に装着可能なリールシート６を有し、竿元側端部には尻栓９が脱着自在に装着されている。リールシート６は別途成形したパイプ状の部材からなり、これを所定の周面位置に配置して固定されている。
元上竿２にはリール７からの釣糸Ｌを竿体内部に導入するための釣糸導入口１０が形成され、釣糸導入口１０の開口周縁にはセラミックガイド１１等が装着される（図２参照）。一方、穂先竿５の穂先側端部にはトップガイド８が装着されている。そして、リール７からの釣糸Ｌは釣糸導入口１０より竿体内部に導入され順次穂先側の竿体へ送られトップガイド８より外部へ導出される。
【００１１】
［釣糸導入口１０付近の構造］
図２及び図３に示すように、元上竿２の穂先側には中竿３が振出形式で連結されている。
元上竿２は、穂先側端部より一定範囲に於いて竿元側にテーパの変化がない（殆どテーパの変化なき超スローテーパの場合も含む）ストレートテーパ部分と、このストレートテーパ部分の竿元側に連続して竿元側ほど大径化する第１テーパ部分と、この第１テーパ部分の竿元側に連続してなり第１テーパ部分より緩やかなテーパで竿元側ほど大径化する第２テーパ部分とを有している。例えば、第１テーパ部分は２０／１０００〜３０／１０００程度のテーパ率であり、第２テーパ部分は１／１０００〜５／１０００程度のテーパ率であるというように、第１テーパ部分のテーパは急テーパに設定する。
【００１２】
この元上竿２のストレートテーパ部分はその内周面が中竿３の外周面と嵌着可能な嵌着部分となっている。必要に応じてその内周面にポリエステル等の不織布等に合成樹脂を含浸させた不織布プリプレグ層を設けておき、竿体同士の固着を防止してもよい。
この元上竿２の第１テーパ部分の内周面には、周方向に間隔を隔てて径内方向に部分的に突出する突起が形成されており、軸方向の一定範囲にこの突起が延びる凹凸面となっており、具体的には、断面略星型形状となっている（図３参照）。この凹凸面は第１テーパ部分の内周面であるから、穂先側ほど小径化するテーパ面となっているが、この凹凸面の最小内径は少なくとも中竿３の最大外径より大きくなるように設定される。
【００１３】
そして、この第１テーパ部分に釣糸Ｌを竿体内部に導入するための上述の釣糸導入口１０が形成される。釣糸導入口１０は元上竿２の軸方向に長い長孔であって、上述のようにその周縁にセラミックリングがはめ込まれている。
このような中通し竿では、元上竿２の第１テーパ部分の内周の凹凸が釣糸導入口１０を形成したことによる元上竿２の部分的強度の低下を抑えている。凹凸が竿体外部方向に張り出したものではなく、元上竿２の元竿１への収納を妨げることもない。
【００１４】
また、この中通し竿では、リール７からの釣糸Ｌは元上竿２の釣糸導入口１０から竿体内部に挿入され、第２竿体の内部へと導かれる。釣糸Ｌを各竿体に挿通したままで中竿３を元上竿２内に振出形式で収納すると、図２に示すように、釣糸導入口１０からの釣糸Ｌは元上竿２内で一端竿元側に折り返され、収納された中竿３の竿元側端部へ至り、中竿３の竿元側端部の尻栓１２から中竿３の内部を再度穂先側に至り、穂先竿５へと至ることになる。この釣糸導入口１０から尻栓１２への折り返しの際には、釣糸Ｌは第１テーパ部分の凹凸の間と第２テーパ部分の内周面と中竿３の外周面との間のクリアランスを通過できる。
【００１５】
［他の実施形態］
（ａ）第１テーパ部分の内周面の断面形状は上記実施形態に限定されるものではない。例えば、図４に示すように、周方向に間隔を隔てて複数の断面矩形状の突起を形成してもよく、その他、断面半楕円形状などの突起でも良い。
さらに、突起を大きく連続的に形成することで、第１テーパ部分の断面形状自体を四角形等の多角形に近づけてしまうことも可能である（図５参照）。
（ｂ）なお、このような第１テーパ部分の凹凸形状は、元上竿２を形成する際に用いる芯材（マンドレル）自体に所定の凹凸形状を形成しておくことで形成可能である。即ち、所定の凹凸を外周面に形成したマンドレルにプリプレグ素材を巻回して焼成し、マンドレルを竿元側へ引き抜くことで、内周面の所定位置に凹凸形状を形成可能である。
【００１６】
【発明の効果】
本発明の振出形式の釣竿では、竿体の強度を担保しつつ釣糸を挿通したままの収納も可能である。
【図面の簡単な説明】
【図１】本発明の一実施形態を採用した釣竿の全体図。
【図２】図１の元上竿２と中竿３との連結付近の断面図。
【図３】図１のIII-III断面図。
【図４】他の実施形態を採用した中通し竿の図３に相当する図。
【図５】さらに他の実施形態を採用した中通し竿の図３に相当する図。
【符号の説明】
１  元竿
２  元上竿
３  中竿
１０  釣糸導入口
【図１】
0003912657.tif 000002
【図２】
0003912657.tif 000003
【図３】
0003912657.tif 000004
【図４】
0003912657.tif 000005
【図５】
0003912657.tif 000006